(57)【要約】【課題】異なる寸法の補強芯材が必要となった場合にも、簡易な工程で補強芯材の寸法の変更を行うことのできる開口部装置を提供する。【解決手段】建物開口部に設けられる枠体１内に障子３を納めてなり、障子３は框体４内にパネル体５を納めて構成され、框体４を構成する框材６０は長手方向に沿う中空部６５を有し、中空部６５には補強芯材７０が設けられ、補強芯材７０は第１部材７１と第２部材７４とが組み合わせて構成され、第１部材７１は補強芯材７０の一端部を構成する一端側部材７２と、補強芯材７０の他端部を構成する他端側部材７３とからなり、一端側部材７２と他端側部材７３はそれぞれ第２部材７４と固着される。【選択図】図７
2014109099.tif 000002
【特許請求の範囲】
【請求項１】
建物開口部に設けられる枠体内に障子を納めてなり、該障子は框体内にパネル体を納め
て構成された開口部装置において、
前記框体を構成する框材は長手方向に沿う中空部を有し、該中空部には補強芯材が設け
られ、
前記補強芯材は第１部材と第２部材とが組み合わせて構成され、前記第１部材は前記補
強芯材の一端部を構成する一端側部材と、前記補強芯材の他端部を構成する他端側部材と
からなり、前記一端側部材と他端側部材はそれぞれ前記第２部材と固着されることを特徴
とする開口部装置。
【請求項２】
前記一端側部材のうち前記補強芯材の一端部となる部分には、加熱発泡材の配置面部が
形成されることを特徴とする請求項１記載の開口部装置。
【請求項３】
前記補強芯材は前記框体を構成する縦框に設けられ、該縦框は前記枠体を構成する上枠
に形成される上レール部を飲み込む凹状の上案内部を上端部に有し、前記一端側部材のう
ち前記補強芯材の一端部となる部分には、前記上案内部に沿う上レール対向部が形成され
ることを特徴とする請求項１または２記載の開口部装置。
【請求項４】
前記縦框は前記枠体を構成する下枠に形成される下レール部を飲み込む凹状の下側凹部
を下端部に有し、前記他端側部材のうち前記補強芯材の一端部となる部分には、前記下側
凹部に沿う切欠部が形成されることを特徴とする請求項３記載の開口部装置。
【請求項５】
前記他端側部材の前記一端側部材側端面と、前記第２部材の少なくとも一方の端面は、
全体が面一状となっていることを特徴とする請求項１〜４のいずれか１項に記載の開口部
装置。
【発明の詳細な説明】
【技術分野】
【０００１】
本発明は、枠体内に障子を納めてなり、障子を構成する框体の中空内部に補強芯材を設
けた開口部装置に関し、特に補強芯材の長さを簡単に変更することのできる開口部装置に
関する。
【背景技術】
【０００２】
建物開口部に設けられる枠体内に障子を納めた開口部装置としては、引き違いサッシや
開き窓サッシなどがある。これらの開口部装置においては、火災発生時に枠体と障子の間
に隙間を生じさせないようにすることが求められる。
【０００３】
火災が発生して開口部装置が高温に晒されると、障子を構成する框体の框材は、熱伸び
を生じると共に屈曲し、それが隙間を生じる原因となる。このため、アルミ製の框材の変
形をできるだけ抑えるため、框材の中空内部にスチール製の補強芯材を設けるようにして
いる。このように框材の中空内部に補強芯材を設けた開口部装置としては、例えば特許文
献１に挙げるようなものがある。
【先行技術文献】
【特許文献】
【０００４】
【特許文献１】特開２０１２−１２２３０３号公報
【発明の概要】
【発明が解決しようとする課題】
【０００５】
補強芯材は、框材の長手方向略全長に渡る長さを有している。框材の長手方向両端部は
、別の框材と連結される部分であり、火災発生時には隙間が生じやすい部分となる。また
、框材の中空部によって室内外が連通する可能性もあるため、框材の端部付近に加熱発泡
材を配置することがある。この加熱発泡材を配置するために、補強芯材の端部に曲げ加工
が施され、加熱発泡材の載置面が形成される。これにより、補強芯材の両端部は、複雑な
形状を有することとなる。
【０００６】
開口部装置にあっては、様々な寸法に対応する必要がある。このため、補強芯材につい
ても寸法違いに対応する必要があるが、補強芯材の端部が複雑な形状を有しているため、
単に切断するだけで寸法を変更することはできず、必要となる寸法の補強芯材をその都度
製作する必要があった。
【０００７】
本発明は前記課題を鑑みてなされたものであり、異なる寸法の補強芯材が必要となった
場合にも、簡易な工程で補強芯材の寸法の変更を行うことのできる開口部装置を提供する
ことを目的とする。
【課題を解決するための手段】
【０００８】
前記課題を解決するため、請求項１の発明に係るサッシは、建物開口部に設けられる枠
体内に障子を納めてなり、該障子は框体内にパネル体を納めて構成された開口部装置にお
いて、
前記框体を構成する框材は長手方向に沿う中空部を有し、該中空部には補強芯材が設け
られ、
前記補強芯材は第１部材と第２部材とが組み合わせて構成され、前記第１部材は前記補
強芯材の一端部を構成する一端側部材と、前記補強芯材の他端部を構成する他端側部材と
からなり、前記一端側部材と他端側部材はそれぞれ前記第２部材と固着されることを特徴
として構成されている。
【０００９】
請求項１に係る発明によれば、各部材の補強芯材の両端部を形成する端部以外の端部に
、複雑な形状を形成する必要がないので、単純な水平切断加工によって各部材の寸法を容
易に変更し、補強芯材の寸法を変更することができる。
【００１０】
また、請求項２の発明に係るサッシは、前記一端側部材のうち前記補強芯材の一端部と
なる部分には、加熱発泡材の配置面部が形成されることを特徴として構成されている。
【００１１】
請求項２に係る発明によれば、補強芯材で加熱発泡材を保持できるようにしつつ、補強
芯材の寸法の変更には影響しないようにすることができる。
【００１２】
さらに、請求項３の発明に係るサッシは、前記補強芯材は前記框体を構成する縦框に設
けられ、該縦框は前記枠体を構成する上枠に形成される上レール部を飲み込む凹状の上案
内部を上端部に有し、前記一端側部材のうち前記補強芯材の一端部となる部分には、前記
上案内部に沿う上レール対向部が形成されることを特徴として構成されている。
【００１３】
請求項３に係る発明によれば、上レール対向部によって火災発生時における上案内部の
補強をなすようにしつつ、補強芯材の寸法の変更には影響しないようにすることができる
。
【００１４】
さらにまた、請求項４の発明に係るサッシは、前記縦框は前記枠体を構成する下枠に形
成される下レール部を飲み込む凹状の下側凹部を下端部に有し、前記他端側部材のうち前
記補強芯材の一端部となる部分には、前記下側凹部に沿う切欠部が形成されることを特徴
として構成されている。
【００１５】
請求項４に係る発明によれば、切欠部により火災発生時における下側凹部の補強をなす
ようにしつつ、補強芯材の寸法の変更には影響しないようにすることができる。
【００１６】
そして、請求項５の発明に係るサッシは、前記他端側部材の前記一端側部材側端面と、
前記第２部材の少なくとも一方の端面は、全体が面一状となっていることを特徴として構
成されている。
【００１７】
請求項５に係る発明によれば、単純な切断加工により寸法変更を容易に行うことができ
る。
【発明の効果】
【００１８】
本発明に係るサッシによれば、異なる寸法の補強芯材が必要となった場合にも、簡易な
工程で補強芯材の寸法の変更を行うことができる。
【図面の簡単な説明】
【００１９】
【図１】第１の実施形態における開口部装置としてのサッシの縦断面図である。
【図２】サッシの横断面図である。
【図３】外障子を構成する外召合わせ框の横断面図である。
【図４】外召合わせ框の内周側から見た側面図である。
【図５】補強芯材を構成する第１部材の正面図である。
【図６】補強芯材を構成する第２部材の正面図である。
【図７】第１部材と第２部材を組み合わせた補強芯材の正面図である。
【図８】補強芯材を中空部内に挿入した外召合わせ框の内周側から見た側面図である。
【図９】火災発生時における外障子の外召合わせ框付近拡大縦断面図である。
【発明を実施するための形態】
【００２０】
本発明の実施形態について図面に沿って詳細に説明する。図１には第１の実施形態にお
ける開口部装置としてのサッシの縦断面図を、図２にはサッシの横断面図を、それぞれ示
している。これら各図に示すように、本実施形態の開口部装置は、建物開口部に取付けら
れた枠体１内に内障子２と外障子３とを引き違い状に納めた引き違いサッシである。また
、外障子３の室外側には網戸７が配置されている。
【００２１】
枠体１は、上枠１０と下枠１１及び左右の縦枠１２，１２を方形状に枠組みして形成さ
れている。上枠１０は、アルミ製の金属上枠１０ａの室内側露出部分を樹脂製の樹脂上枠
１０ｂで被覆して構成されている。また、上枠１０の内周面には、内障子２の上辺と外障
子３の上辺をそれぞれ長手方向に案内する室内外２条の上レール部１０ｃ，１０ｃが形成
されている。
【００２２】
下枠１１は、アルミ製の金属下枠１１ａの室内側露出部分を樹脂製の樹脂下枠１１ｂで
被覆して構成されている。また、下枠１１の上面には、内障子２に設けられる戸車３３と
外障子３に設けられる戸車３３を、それぞれ載置して内障子２と外障子３を走行自在とす
る室内外２条の下レール部１１ｃ，１１ｃが形成されている。
【００２３】
縦枠１２は、アルミ製の金属縦枠１２ａの室内側露出部分を樹脂製の樹脂縦枠１２ｂで
被覆して構成されている。このように、枠体１は金属材の室内側露出部分を樹脂材で覆っ
ているので、断熱性を高くすることができると共に、室内側からの意匠性も良好にするこ
とができる。また、各樹脂材の室内側端部には、室内側に向かって延出されたアングル部
１３が形成されている。アングル部１３は、枠体１の室内側に配置される額縁材６の内周
面に当接されている。
【００２４】
内障子２と外障子３は、それぞれ框体４内に複層ガラス板からなるパネル体５を納めて
構成されている。内障子２の框体４は、上框２０と下框３０、枠側縦框４０と内召合わせ
框５０を方形状に框組みして構成されている。外障子３の框体４は、上框２０と下框３０
、枠側縦框４０と外召合わせ框６０を方形状に框組みして構成されている。
【００２５】
框体４を構成する上框２０は、アルミ製の金属上框２１の室内側露出部分を樹脂製の樹
脂上框２２で被覆して構成されている。上框２０の外周側には、上方に向かって開放状の
上案内部２３が形成されている。上案内部２３は、金属上框２１によって形成された底壁
２３ａと、該底壁２３ａの室内側端部から上方に伸びる室内側壁２３ｂと、底壁２３ａの
室外側端部から上方に伸びる室外側壁２３ｃとによって、断面略凹状をなしている。上框
２０の上案内部２３は、上枠１０の上レール部１０ｃを飲み込んでいる。
【００２６】
框体４を構成する下框３０は、アルミ製の金属下框３１の室内側露出部分を樹脂製の樹
脂下框３２で被覆して構成されている。枠側縦框４０も、アルミ製の金属縦框４１の室内
側露出部分を樹脂製の樹脂縦枠４２で被覆して構成されている。また、内召合わせ框５０
についても、アルミ製の金属内召合わせ框５１の室内側露出部分が樹脂製の樹脂内召合わ
せ框５２によって被覆されている。外召合わせ框６０は、室内側に露出する部分が少ない
ので、大半がアルミ製の金属外召合わせ框６１によって構成されているが、室内側面の内
周端部付近は室内側に露出するので、樹脂製の樹脂外召合わせ框６２が設けられている。
【００２７】
外障子３を構成する外召合わせ框６０についてより詳細に説明する。図３には、外障子
３を構成する外召合わせ框６０の横断面図を示している。外召合わせ框６０には、長手方
向に沿う中空部６５が形成されており、中空部６５内には、スチール製の補強芯材７０が
設けられ固定されている。また、パネル体を納める側の内周面には、加熱発泡材６６が配
置されている。
【００２８】
補強芯材７０は、それぞれ断面略Ｕ字状をなす第１部材７１と第２部材７２とを一体化
して構成されている。第１部材７１は、第２部材７２よりも一回り大きい寸法に形成され
ていて、第１部材７１のＵ字形状の内部に第２部材７２が納められている。補強芯材７０
は、長手方向に略同じ断面形状を有しているが、上端部付近には曲げ加工によって長手方
向に面する配置面部７２ｃが形成されている。補強芯材７０の各面には、加熱発泡材７５
が配置されている。
【００２９】
図４には、外召合わせ框６０の内周側から見た側面図を示している。外召合わせ框６０
の内周面に設けられる加熱発泡材６６は、外召合わせ框６０の長手方向に沿って複数枚が
設けられている。また、外召合わせ框６０の上端部には、凹状に切り欠かれた上案内部６
３が形成されている。
【００３０】
外召合わせ框６０の上案内部６３は、底辺６３ａと室内側辺６３ｂ及び室外側片６３ｃ
とで凹状をなしており、上枠１０の上レール部１０ｃを跨ぐように形成されている。また
、外召合わせ框６０の上案内部６３は、上框２０の上案内部２３と連続状となる。外召合
わせ框６０の下端部にも、凹状に切り欠かれた下側凹部６４が形成されている。下側凹部
６４は、下枠１１の下レール部１１ｃを跨いでこれと干渉しないために形成されている。
【００３１】
外召合わせ框６０の内周面には、上端部近傍に上框２０との連結に用いる連結孔６０ａ
，６０ａが形成されている。また、外召合わせ框６０の内周面下端部近傍には、下框３０
との連結に用いる連結孔６０ａ，６０ａと、戸車３３の調整を行うための戸車調整口６０
ｂとが形成されている。
【００３２】
補強芯材７０の構成について詳細に説明する。図５には、補強芯材７０を構成する第１
部材７１の正面図を示している。第１部材７１は、補強芯材７０の一端部を構成する一端
側部材７２と、補強芯材７０の他端部を構成する他端側部材７３の二部材によって形成さ
れる。一端側部材７２は補強芯材７０の上側を構成するように配置され、他端側部材７３
は補強芯材７０の下側を構成するように配置される。
【００３３】
一端側部材７２は、補強芯材７０の上端部となる側に、折り曲げ加工してなる水平面で
ある配置面部７２ｃが形成されている。配置面部７２ｃには、加熱発泡材７５が載置され
る。また、一端側部材７２の上端部には、一方の側壁が延出された延出面部７２ｄが形成
されており、延出面部７２ｄの内側を向く面にも、加熱発泡材７５が配置されている。
【００３４】
一端側部材７２の上端部室内側には、凸状の上レール対向部７２ａが形成されている。
上レール対向部７２ａは、補強芯材７０を外召合わせ框６０の中空部６５に挿入した際に
、外召合わせ框６０の上案内部６３の室内側辺６３ｂに沿う室外側辺７２ｂを有するよう
に形成されている。このように、一端側部材７２は、補強芯材７０の上端部となる側につ
いては、複雑な形状を有しているのに対し、他端側部材７３と対向する側の端面７２ｅは
、全体が面一状の水平面となっている。
【００３５】
他端側部材７３は、一端側部材７２よりも長手方向に長く形成され、補強芯材７０の下
端部となる側に、凹状に切り欠かれた切欠部７３ａが形成されている。切欠部７３ａは、
補強芯材７０を外召合わせ框６０の中空部６５に挿入した際に、外召合わせ框６０の下側
凹部６４と重なり合うように形成されている。これにより、補強芯材７０の下端部が下枠
１１の下レール部１１ｃと干渉しないようにすると共に、補強芯材７０により外召合わせ
框６０の下側凹部６４を補強することができる。また、他端側部材７３の下端部付近には
、側壁の内面側に加熱発泡材７５が配置されている。
【００３６】
このように、他端側部材７３は、補強芯材７０の下端部となる側は、複雑な形状を有し
ているのに対し、一端側部材７２と対向する側の端面７３ｂは、全体が面一状の水平面と
なっている。したがって、他端側部材７３の一端側部材７２と対向する側について、水平
に切断することによって、他端側部材７３の長さを容易に変更することができる。本実施
形態においては、破線で表した切断線７３ｃで他端側部材７３が切断され、端面７３ｂ側
は使用されない。
【００３７】
図６には、補強芯材７０を構成する第２部材７４の正面図を示している。第２部材７４
は、上側の端面７４ａと下側の端面７４ｂが、いずれも全体が面一状の水平面となってい
る。したがって、いずれか一方側について、水平に切断することによって、第２部材７４
の長さを容易に変更することができる。本実施形態においては、破線で表した切断線７４
ｃで第２部材７４が切断され、端面７４ａ側は使用されない。
【００３８】
図７には、第１部材７１と第２部材７４を組み合わせた補強芯材７０の正面図を示して
いる。第１部材７１を構成する一端側部材７２と他端側部材７３は、それぞれ第２部材７
４と締結固定され、一端側部材７２の端面７２ｅと他端側部材７３の切断された端面７３
ｃとが近接対向する。第２部材７４は、第１部材７１よりも短く、両方の端面７４ｂ，７
４ｃが、それぞれ第１部材７１の上下端部よりも長手方向内側に配置される。
【００３９】
本実施形態のように、補強芯材７０を第１部材７１と第２部材７４とで構成し、さらに
第１部材７１を一端側部材７２と他端側部材７３とで構成し、一端側部材７２の端部と他
端側部材７３の端部とで補強芯材７０の両端部を形成するようにしたことにより、各部材
の補強芯材７０の両端部を形成する端部以外の端部に、複雑な形状を形成する必要がない
ので、単純な水平切断加工によって各部材の寸法を容易に変更することができる。
【００４０】
サッシにあっては、様々な寸法に対応する必要があり、補強芯材７０もそれに合わせて
様々な長さとする必要があるが、これに対して簡易な加工で寸法違いに対応することが可
能となる。このために、他端側部材７３及び第２部材７４の当初の長さは、対応できる寸
法のうち最大寸法としておき、そこから切断加工することにより、必要な寸法の部材を形
成する。
【００４１】
なお、本実施形態では、短く形成された一端側部材７２の長さを固定し、長く形成され
た他端側部材７３と第２部材７４について、切断加工することで寸法を変更しているが、
一端側部材７２を切断加工して寸法を変更するようにしてもよい。
【００４２】
図８には、補強芯材７０を中空部６５内に挿入した外召合わせ框６０の内周側から見た
側面図を示している。この図に示すように、外召合わせ框６０の長手方向に沿って延びる
補強芯材７０に形成された上レール対向部７２ａは、外召合わせ框６０の上案内部６３の
室内側辺６３ｂに沿う形状を有しているので、外障子３が枠体１内に納められた際には、
上レール対向部７２ａは上レール部１０ｃの室内側面と見付方向において重なり合うこと
になり、外召合わせ框６０の上案内部６３を補強する。
【００４３】
図９には、火災発生時における外障子３の外召合わせ框６０付近拡大縦断面図を示して
いる。火災が発生してサッシが室外側から高温に晒されると、框体４を構成する各框材は
、熱伸びを生じると共に、室内外の温度差から室外側に向かって凸状となるように屈曲す
る。これにより、外障子３は室外側に向かって開いていく方向に力を受けることになる。
【００４４】
框体４の上辺においては、図９に示すように、下側が室外側に引っ張られるように傾倒
し、上枠１０の上レール部１０ｃに対して外召合わせ框６０の上案内部６３のうち室内側
辺６３ｂが圧接した状態となる。外召合わせ框６０はアルミ製であるため、高温に晒され
ると軟化して強度が低下する。上案内部６３の強度が十分でないと、框体４は上案内部６
３から外れて外障子３が開いてしまうこととなる。
【００４５】
これに対し、外召合わせ框６０の補強芯材７０に設けられた上レール対向部７２ａはス
チール製であるので火災発生時にも強度を保つことができ、これによって上案内部６３の
室内側辺６３ｂが補強されており、この上レール対向部７２ａが上レール部１０ｃと見付
方向において重なり合うように配置されているので、図９のような状態になっても、上案
内部６３に上レール部１０ｃが引っ掛かった状態を維持することができる。すなわち、外
障子３が開いてしまうことを防止することができる。
【００４６】
以上、本発明の実施形態について説明したが、本発明の適用は本実施形態には限られず
、その技術的思想の範囲内において様々に適用されうるものである。開口部装置の種類と
しては、本実施形態のような引き違いサッシには限られず、開き窓サッシや嵌め殺し窓サ
ッシ、あるいは框体を有するドアなど、枠体内に障子などの本体を納めてなる開口部装置
であって、框材に補強芯材を設けるものであれば、どのような種類であっても本発明を適
用することができる。
【符号の説明】
【００４７】
１    枠体
２    内障子
３    外障子
４    框体
５    パネル体
１０    上枠
１１    下枠
１２    縦枠
２０    上框
２３    上案内部
３０    下框
３３    戸車
４０    枠側縦框
５０    内召合わせ框
６０    外召合わせ框
６３    上案内部
６３ａ  底辺
６３ｂ  室内側辺
６３ｃ  室外側辺
６４    下側凹部
６５    中空部
７０    補強芯材
７１    第１部材
７２    一端側部材
７２ａ  上レール対向部
７２ｂ  室外側辺
７２ｃ  配置面部
７２ｄ  延出面部
７３    他端側部材
７３ａ  切欠部
７４    第２部材
７５    加熱発泡材
【図１】
2014109099.tif 000003
【図２】
2014109099.tif 000004
【図３】
2014109099.tif 000005
【図４】
2014109099.tif 000006
【図５】
2014109099.tif 000007
【図６】
2014109099.tif 000008
【図７】
2014109099.tif 000009
【図８】
2014109099.tif 000010
【図９】
2014109099.tif 000011